(57)【特許請求の範囲】
【請求項１】
連続して水平に送られるシート状フィルムの上下から、ヒータによって加熱され送風機により送風される熱風を吹付けてフィルムを加熱軟化し、横方向および／または縦方向に延伸する矩形断面の加熱セクションを含む装置において、
前記加熱セクションは、熱風を吹き出す隙間を有するプレナムダクトがフィルムを挟んで上下に設置された本体中央室と、吹き出された熱風をヒータ及び送風機へ回流するダクトへの出口が設けてある本体両側室とからなり、前記本体中央室と前記本体両側室は、多孔仕切板で仕切られ、それによってフィルム加熱後の熱風は前記多孔仕切板で整流されて前記本体中央室と前記本体両側室の隅部に澱むことなく前記ヒータ及び前記送風機へ回流されることを特徴とするフィルム処理装置。
【請求項２】
連続して水平に送られるシート状フィルムの上下から、ヒータによって加熱され送風機により送風される温風を吹付けてフィルムを加温乾燥する矩形断面の温風乾燥セクションを含む装置において、
前記温風乾燥セクションは、温風を吹き出す隙間を有するプレナムダクトがフィルムを挟んで上下に設置された本体中央室と、フィルムから水分を奪って湿った温風の出口が設けてある本体両側室とからなり、前記本体中央室と前記本体両側室は、多孔仕切板で仕切られ、それによってフィルム温風乾燥後の湿った温風が前記多孔仕切板で整流されて前記本体中央室と前記本体両側室の隅部に澱むことなく前記ヒータ及び前記送風機へ回流されることを特徴とするフィルム処理装置。
【発明の詳細な説明】
【０００１】
【発明の属する技術分野】
本発明は、熱風をヒータ及び送風機へ回流してシート状フィルムを横方向または縦横方向に延伸するテンタオーブン、フィルムの温風乾燥装置等の熱風又は温風によるフィルム処理装置に関するものである。
【０００２】
【従来の技術】
連続して水平に送られるシート状フィルムの上下から熱風を吹付けてフィルムを加熱軟化し、横方向または縦横方向に延伸するテンタオーブンにおいて、フィルムを加熱する熱風又は温風は本体からダクトで送風機及びヒータへ送りヒータで温度を調整して供給ダクトにより再び本体内の熱風又は温風吹き付けノズルへ回流する構造は既知の技術に属するものである。
また、連続して水平に送られる濡れたシート状フィルムの温風乾燥装置において、取り込んだ新鮮な空気をヒータで温度を調整して乾いた温風とし、その温風を送風機で本体内の吹き付けノズルへ供給してフィルムを乾燥し、湿った温風はダクトにより熱交換器へ送り、熱交換器において新鮮な空気と熱交換する構造は既知の技術に属するものである。
【０００３】
特開平９−１５０４５５号に開示された従来例のフィルム横延伸装置は、装置本体のフィルム走行部の横側部に置かれたラジエータにより所定温度に加熱された熱風を、延伸フィルムの上下に噴射し、噴射した熱風をラジエータで再度加熱して延伸フィルムに噴射する操作を繰り返しながら延伸するとき、延伸フィルムの上側に噴射した熱風をバッフルプレートでラジエータの下方部分へ導いて加熱し、延伸フィルムの下側に噴射した熱風をバッフルプレートでラジエータの上方部分へ導いて加熱し延伸するようにして、延伸フィルムの上下の温度のバラツキが小さくし、延伸フィルムの厚みの精度を良くしようとするものである。
【０００４】
【発明が解決しようとする課題】
図７の加熱セクション３１に示すように、テンタオーブン本体２の内部には、熱風ノズル及びこの熱風ノズルに熱風を供給するプレナムダクト３，４、フィルム１７を横方向に延伸しながら送るフィルムクリップ１８と同クリップ１８の走行用レール等が設置されているので、断面積、容積は大きく、熱風の流れは回流ダクト４１に直ぐに吸い込まれるものと、図７のＣ、Ｄで示した部分でしばらく停滞した後、吸い込まれるものとがあり、停滞した空気の温度が下がり、一旦気化した潤滑油やオリゴマーが凝縮してテンタオーブンの壁に付着堆積して汚し、或いは停滞中に変質して回流する熱風に混じってフィルムの表面を汚染する不具合が起こる。
上記テンタオーブンと同じ構造の本体とノズルを使用した乾燥装置の場合も、同様に、温風の流れは出口に直ぐに到達するものと、しばらく停滞した後、出口に達するものとがあり、停滞した空気の温度が下がり、水蒸気や潤滑油の気化した成分が凝縮して本体の壁に付着堆積して汚れる不具合が生じる。
【０００５】
従来例のラジエータをフィルム走行部の横側部に置いたフィルム延伸装置においても、戻り側の熱風は一旦装置本体の広い室内に開放された後、バッフルプレートによりラジエータに導くようにしているので、熱風の流れが停滞する部分があり、温度のバラツキと、凝縮した潤滑油やオリゴマーが装置の内壁に付着堆積することは避けられない。
【０００６】
本発明は、フィルム加熱後の熱風の流れを、本体の両側の隅部に熱風が澱むことがないように整流し、送風機へ回流するようにして、潤滑油やオリゴマーの凝縮物が本体の内壁に付着堆積することを避けたテンタオーブン、及び、このテンタオーブンと類似構造の温風乾燥装置においても、フィルム乾燥後の温風の流れが本体の両側の隅部に澱むことがないように整流し、外へ排出して、水蒸気が液化した水分や潤滑油の揮発分の凝縮物が本体の内壁に付着堆積して汚れることを避けた熱風又は温風によるフィルム処理装置を提供することを目的としている。
【０００７】
【課題を解決するための手段】
上記の問題に対し本発明は、連続して送られるシート状フィルムに熱風又は温風を吹付けて該フィルムを処理する処理セクションを含むフィルム処理装置において、前記処理セクションの本体は、熱風を吹き出す隙間を有するプレナムダクトをその内部に具え、また該プレナムダクトから吹き出された熱風をヒータ及び送風機へ回流するダクトに繋がる出口を有してなり、前記処理セクションの本体内部は、多孔仕切板により、前記プレナムダクト側空間と前記出口側空間とが仕切られていることを特徴とする。
【０００８】
すなわち、請求項１に記載の発明は、前記目的を達成するために、連続して水平に送られるシート状フィルムの上下から、ヒータによって加熱され送風機により送風される熱風を吹付けてフィルムを加熱軟化し、横方向および／または縦方向に延伸する矩形断面の加熱セクションを含む装置において、前記加熱セクションは、熱風を吹き出す隙間を有するプレナムダクトがフィルムを挟んで上下に設置された本体中央室と、吹き出された熱風をヒータ及び送風機へ回流するダクトへの出口が設けてある本体両側室とからなり、前記本体中央室と前記本体両側室は、多孔仕切板で仕切られ、それによってフィルム加熱後の熱風は前記多孔仕切板で整流されて前記本体中央室と前記本体両側室の隅部に澱むことなく前記ヒータ及び前記送風機へ回流されるように構成される。このように前記多孔仕切板は、フィルム加熱後の熱風が多孔仕切板で整流されて本体の両側の隅部に澱むことなく送風機へ回流されるように作用する。
【０００９】
請求項２に記載の発明は、連続して水平に送られるシート状フィルムの上下から、ヒータによって加熱され送風機により送風される温風を吹付けてフィルムを加温乾燥する矩形断面の温風乾燥セクションを含む装置において、前記温風乾燥セクションは、温風を吹き出す隙間を有するプレナムダクトがフィルムを挟んで上下に設置された本体中央室と、フィルムから水分を奪って湿った温風の出口が設けてある本体両側室とからなり、前記本体中央室と前記本体両側室は、多孔仕切板で仕切られ、それによってフィルム温風乾燥後の湿った温風が前記多孔仕切板で整流されて前記本体中央室と前記本体両側室の隅部に澱むことなく前記ヒータ及び前記送風機へ回流されるように構成される。前記多孔仕切板は、フィルム温風乾燥後の湿った温風が多孔仕切板で整流されることにより本体の両側の隅部に澱むことなく外へ送り出されるように作用する。
【００１０】
【発明の実施の形態】
【第１の実施の形態】
本発明の第１の実施の形態であるテンタオーブンの加熱セクションについて構成と作用を図に基づいて説明する。図１はテンタオーブンの加熱セクションを示す側面断面図、図２は図１のＡ−Ａ断面を示す平面図、図３は図１のＢ−Ｂ断面を示す側面図、図４は図１の整流板の多孔部を示す側面図である。
【００１１】
加熱セクション１を示す図において、２は２重の壁の間に断熱材を挟んだ断熱性に優れた本体である。本体２の中央で水平に広げられたフィルム１７はその両縁を水平面において斜めに走るクリップチエン１８にクリップされ、フィルム幅を広げながら送られる。
【００１２】
本体２内の空気は吸込ダクト１１、１２からヒータ８を通って加熱され、送風機１０により加圧して送られ、フィルタ９において塵屑を取り除き、メインダクト７から上下に別れて分流ダクト５、６を通り、分流ダクト５、６から多数のプレナムダクト３、４に分けられ、プレナムダクト３、４の細い隙間から加圧された熱風をフィルム１７の上下面に吹き出して加熱し、熱風は再び吸込ダクト１１、１２に入り、ヒータ８と送風機１０へ回流する。１９は仕切り壁を示す。
プレナムダクト３、４を通る熱風の温度は、図示略の温度検出センサで検出され、図示略の制御装置においてフィルム１７の延伸指定温度になるようにヒータ８の加熱量が制御される。熱風が吸込ダクト１１、１２に吸い込まれる前に、本体内に設けられた図４に示したような多数のパンチ孔１５ａ、１５ｂが明けられた整流板１５、１６を通過する。この整流板１５、１６における開口率は約３０％とし、熱風は整流板１５、１６を通過する前後の圧力差で、熱風は全面のパンチ孔１５ａ、１６ａから均等に吸込ダクト１１、１２側に夫々流れ込み、本体２の室内に熱風の一部が停滞する事なく吸込ダクト１１、１２に流入させることができる。
【００１３】
もし、図７に示したように、本体２内に整流板１５、１６が無い場合には、熱風は吸込ダクト１１、１２に向かってできるだけ短い経路を通るので、図７のＣ、Ｄで示した隅の部分や、ダクトの後側には熱風の停滞する部分が生じる。このような熱風の滞留する部分は本体２の壁に近いため温度が低下し、フィルム１７から蒸発したオリゴマーのガスや、クリップチエン１８の走行部の潤滑油から気化した石油系ガスが凝縮して本体２の内側の壁に付着して汚し、或いは停滞中に変質して回流する熱風に混じって一部分はフィルタ９を通過してプレナムダクト３、４に達して、フィルム１７の表面を汚染する可能性がある。
【００１４】
整流板１５、１６があれば、熱風は本体２の室内に停滞する事が無いので、オリゴマーのガスや潤滑油から気化した石油系ガスが凝縮することなく、また、回流する空気の一部を放出し、新鮮な空気を採り入れることにより、発生したオリゴマー等のガスの濃度を抑えることができる。
【００１５】
【第２の実施の形態】
本発明の第２の実施の形態である温風乾燥装置の温風乾燥セクションについて構成と作用を図に基づいて説明する。図５は温風乾燥装置の温風乾燥セクションを示す側面断面図、図６は図５のＥ−Ｅ断面を示す平面図である。
【００１６】
フィルムを冷却や洗浄処理をしたため、濡れたフィルム27を乾燥する必要がある場合にも、第１の実施形態のテンタオーブンの加熱セクション１における本体２の構成を、そのまま温風乾燥装置の乾燥セクション21の本体としても使用することができるので、この本体２を用いて温風乾燥装置とした場合の構成と作用について説明する。従って、図３、図４は、この第２の実施の形態においても共用される。また、第１の実施形態と同じ構成の部品は同形態のものと同じ部品番号を付した。
【００１７】
本体２の中央で水平に広げられたフィルム27はその両縁を水平面において平行に走るクリップチエン１８にクリップされて送られる。
送風機１０によって吸い込まれた新鮮な空気はヒータ２５を通って加熱されて乾燥した温風となり、メインダクト２６から上下に別れて分流ダクト５、６を通り、分流ダクト５、６から多数のプレナムダクト３、４に分けられ、プレナムダクト３、４の細い隙間からフィルム２７の上下面に吹き出してフィルム２７を乾燥し、湿った温風は排出ダクト２２、２３に入り、排出ダクト２２、２３は合流して熱交換器24に送られ、ここで送風機１０によって吸い込まれる空気と熱交換し、供給された新しい空気は温められ、排出された湿った空気は温度が下がって水蒸気を凝縮し、空気は外へ放出される。供給空気は更にヒータ25で温められる。プレナムダクト３、４を通る温風の温度は、図示略の温度検出センサで検出され、図示略の制御装置においてヒータ25の加熱量を制御してプレナムダクト３、４を通る温風の温度が乾燥指定温度になるようにする。
【００１８】
温風が排出ダクト２２、２３で排出される前に、本体２内に設けられた多数のパンチ孔１５ａ、１６ａが明けられた整流板１５、１６を通過する。この整流板１５、１６における開口率は約３０％であり、温風は整流板１５、１６を通過する前後で生じる圧力差で全面のパンチ孔１５ａ、１６ａから均等の速度で排出ダクト２２、２３側の室に夫々流れ込み、本体２の室内に温風の一部が停滞する事なく排出ダクト２２、２３に流入させることができる。
【００１９】
もし、図７に示したように、本体２内に整流板１５、１６が無い場合には、温風は排出ダクト２２、２３に向かってできるだけ短い経路を通るようになるので、図７のＣ、Ｄで示した隅の部分や、ダクトの後側には温風の停滞する部分が生じる。このような温風の滞留する部分は本体２の壁に近いため温度が低下し、フィルム27から蒸発した水分や、クリップチエン１８の走行部の潤滑油から気化した石油系ガスが凝縮して本体２の内側の壁を濡らしたり汚したりする。
【００２０】
整流板１５、１６があれば、温風は本体２の室内に停滞する事が無いので、温風に含まれた水蒸気や潤滑油から気化した石油系ガスが凝縮することなく、本体２の内壁を濡らしたり汚したりすることが無くなる。
【００２１】
【発明の効果】
請求項１に記載の発明は、連続して水平に送られるシート状フィルムの上下から、ヒータによって加熱され送風機により送風される熱風を吹付けてフィルムを加熱軟化し、横方向および／または縦方向に延伸する矩形断面の加熱セクションを含む装置において、前記加熱セクションは、熱風を吹き出す隙間を有するプレナムダクトがフィルムを挟んで上下に設置された本体中央室と、吹き出された熱風をヒータ及び送風機へ回流するダクトへの出口が設けてある本体両側室とからなり、前記本体中央室と前記本体両側室は、多孔仕切板で仕切られ、それによってフィルム加熱後の熱風は前記多孔仕切板で整流されて前記本体中央室と前記本体両側室の隅部に澱むことなく前記ヒータ及び前記送風機へ回流されるようにしたので、熱風は本体の室内に停滞する事が無くなり、オリゴマーのガスや潤滑油から蒸発した石油系ガスが凝縮することなく、凝縮した不純物がフィルムの表面を汚染することが無くなる効果がある。
【００２２】
請求項２に記載の発明は、連続して水平に送られるシート状フィルムの上下から、ヒータによって加熱され送風機により送風される温風を吹付けてフィルムを加温乾燥する矩形断面の温風乾燥セクションを含む装置において、前記温風乾燥セクションは、温風を吹き出す隙間を有するプレナムダクトがフィルムを挟んで上下に設置された本体中央室と、フィルムから水分を奪って湿った温風の出口が設けてある本体両側室とからなり、前記本体中央室と前記本体両側室は、多孔仕切板で仕切られ、それによってフィルム温風乾燥後の湿った温風が前記多孔仕切板で整流されて前記本体中央室と前記本体両側室の隅部に澱むことなく前記ヒータ及び前記送風機へ回流されるように構成されているので、すなわち湿度が高い温風は本体の室内に停滞する事が無いので、温風に含まれた水蒸気や潤滑油から気化した石油系ガスが凝縮することなく、本体の内壁を濡らしたり汚したりすることが無くなる効果がある。
【図面の簡単な説明】
【図１】本発明の第１の実施形態に係るテンタオーブンの加熱セクションを示す側面断面図である。
【図２】図１のＡ−Ａ断面を示す平面図である。
【図３】図１のＢ−Ｂ断面を示す側面図である。
【図４】図１の整流板の多孔部の一部を示す側面図である。
【図５】本発明の第２の実施形態に係る温風乾燥装置の温風乾燥セクションを示す側面断面図である。
【図６】図５のＥ−Ｅ断面を示す平面図である。
【図７】従来のテンタオーブンの加熱セクションの側面断面図である。
【符号の説明】
１          加熱セクション
２          本体
３、４      プレナムダクト
８          ヒータ
９          フィルタ
１０        送風機
１１、１２  吸込ダクト
１５、１６  整流板
１７        フィルム
２１        乾燥セクション
２２、２３  排出ダクト
２５        ヒータ
２４        熱交換機
２７        フィルム
【図１】
0004657498.tif 000002
【図２】
0004657498.tif 000003
【図３】
0004657498.tif 000004
【図４】
0004657498.tif 000005
【図５】
0004657498.tif 000006
【図６】
0004657498.tif 000007
【図７】
0004657498.tif 000008